(57)【要約】【課題】本発明は、従来にない作用効果を発揮する画期的な穴掘り装置を提供することを目的とする。【解決手段】電動回動具１を用いた穴掘り装置であって、前記電動回動具１の回動スイッチ２を設けた握持部３を上にして回動軸先端を下にしてこの電動回動具１の回動軸４の回動により出力軸23を減速回動させるギアボックス６の上部に前記電動回動具１を立設し、このギアボックス６の出力軸23に連結した穴掘り用のドリル７をギアボックス６に垂設し、このギアボックス６に前記握持部３を握持した手と反対の手で握持する取手部８を設けて穴掘り装置本体９を構成し、この穴掘り装置本体９を地面に対して固定し、該穴掘り装置本体９に設けられるガイド体10にガイドされて前記穴掘り装置本体９の上下動をガイドするガイド体摺動部11を前記穴掘り装置本体９に垂設したものである。【選択図】図１
2008125461.tif 000002
【特許請求の範囲】
【請求項１】
電動回動具を用いた穴掘り装置であって、前記電動回動具の回動スイッチを設けた握持部を上にして回動軸先端を下にしてこの電動回動具の回動軸の回動により出力軸を減速回動させるギアボックスの上部に前記電動回動具を立設し、このギアボックスの出力軸に連結した穴掘り用のドリルをギアボックスに垂設し、このギアボックスに前記握持部を握持した手と反対の手で握持する取手部を設けて穴掘り装置本体を構成し、この穴掘り装置本体を地面に対して固定し、該穴掘り装置本体に設けられるガイド体にガイドされて前記穴掘り装置本体の上下動をガイドするガイド体摺動部を前記穴掘り装置本体に垂設したことを特徴とする穴掘り装置。
【請求項２】
前記取手部は、前記電動回動具の回動軸の軸芯方向と直交する方向に突出する棒状体を前記ギアボックスに設けて構成されていることを特徴とする請求項１記載の穴掘り装置。
【請求項３】
前記ガイド体摺動部は、前記穴掘り装置本体の左右位置にして前記ドリルの左右位置に並設状態で垂設されるガイド体に摺動自在に設けられていることを特徴とする請求項１，２のいずれか１項に記載の穴掘り装置。
【請求項４】
前記ガイド体摺動部には、足踏み操作により該ガイド体摺動部の下端部を地面に対して圧接せしめる足踏み部が設けられていることを特徴とする請求項１〜３のいずれか１項に記載の穴掘り装置。
【請求項５】
前記ギアボックスには、前記電動回動具を着脱自在に連結し得る連結部が設けられていることを特徴とする請求項１〜４のいずれか１項に記載の穴掘り装置。
【請求項６】
前記穴掘り装置本体には、前記ガイド体摺動部を上方へ付勢する付勢体が設けられていることを特徴とする請求項１〜６のいずれか１項に記載の穴掘り装置。
【請求項７】
前記ガイド体摺動部の下端部には地面刺入部が設けられていることを特徴とする請求項１〜６のいずれか１項に記載の穴掘り装置。
【請求項８】
前記ガイド体摺動部の下端部には車輪が設けられていることを特徴とする請求項１〜７のいずれか１項に記載の穴掘り装置。
【請求項９】
前記ギアボックスには、ガイド体に対するガイド体摺動部の上方への摺動を阻止するストッパー体が設けられていることを特徴とする請求項１〜８のいずれか１項に記載の穴掘り装置。
【発明の詳細な説明】
【技術分野】
【０００１】
本発明は、例えば果樹園にて施肥をする際、予め土壌に肥料を入れるための穴を形成する穴掘り装置に関するものである。
【背景技術】
【０００２】
例えば果樹園における施肥は、棒状に形成された棒状肥料を土壌の任意の位置に埋設することで行われるが、この棒状肥料の埋設作業を、一本一本ハンマーなどの殴打具を用いて打ち込んだり、ショベル等で穴を掘って埋めるなどしていたのでは大変である。
【０００３】
そこで、従来においても例えば実開平７−４４６０９号や特開平１１−８９３２１号に開示されるように、駆動源の駆動で回動するドリルで土壌に穴を形成する穴掘り装置（以下、従来例）が種々提案されている。
【０００４】
この従来例は、駆動源としてのエンジンを搭載した基体にドリルを垂設した構造であり、この従来例を使用すれば、ドリルで形成した穴に棒状肥料を入れるだけで良いから、前述した手作業で打ち込みや穴掘りなどを行う場合に比し、棒状肥料の埋設作業は簡易となり作業者の負担は軽減される。
【０００５】
【特許文献１】実開平７−４４６０９号公報
【特許文献２】特開平１１−８９３２１号公報
【発明の開示】
【発明が解決しようとする課題】
【０００６】
ところが、従来例は、いずれもエンジンを駆動源とした複雑で大掛かりな構造である為、機動性能が低くて作業性が悪く、しかも、コスト高で量産性が悪いなどの問題点がある。
【０００７】
本発明者等は、上述した問題点に着目し、種々の実験・研究を繰り返し行った結果、従来にない作用効果を発揮する画期的な穴掘り装置を開発した。
【課題を解決するための手段】
【０００８】
添付図面を参照して本発明の要旨を説明する。
【０００９】
電動回動具１を用いた穴掘り装置であって、前記電動回動具１の回動スイッチ２を設けた握持部３を上にして回動軸先端を下にしてこの電動回動具１の回動軸４の回動により出力軸23を減速回動させるギアボックス６の上部に前記電動回動具１を立設し、このギアボックス６の出力軸23に連結した穴掘り用のドリル７をギアボックス６に垂設し、このギアボックス６に前記握持部３を握持した手と反対の手で握持する取手部８を設けて穴掘り装置本体９を構成し、この穴掘り装置本体９を地面に対して固定し、該穴掘り装置本体９に設けられるガイド体10にガイドされて前記穴掘り装置本体９の上下動をガイドするガイド体摺動部11を前記穴掘り装置本体９に垂設したことを特徴とする穴掘り装置に係るものである。
【００１０】
また、前記取手部８は、前記電動回動具１の回動軸４の軸芯方向と直交する方向に突出する棒状体を前記ギアボックス６に設けて構成されていることを特徴とする請求項１記載の穴掘り装置に係るものである。
【００１１】
また、前記ガイド体摺動部11は、前記穴掘り装置本体９の左右位置にして前記ドリル７の左右位置に並設状態で垂設されるガイド体10に摺動自在に設けられていることを特徴とする請求項１，２のいずれか１項に記載の穴掘り装置に係るものである。
【００１２】
また、前記ガイド体摺動部11には、足踏み操作により該ガイド体摺動部11の下端部を地面に対して圧接せしめる足踏み部５が設けられていることを特徴とする請求項１〜３のいずれか１項に記載の穴掘り装置に係るものである。
【００１３】
また、前記ギアボックス６には、前記電動回動具１を着脱自在に連結し得る連結部12が設けられていることを特徴とする請求項１〜４のいずれか１項に記載の穴掘り装置に係るものである。
【００１４】
また、前記穴掘り装置本体９には、前記ガイド体摺動部11を上方へ付勢する付勢体13が設けられていることを特徴とする請求項１〜６のいずれか１項に記載の穴掘り装置に係るものである。
【００１５】
また、前記ガイド体摺動部11の下端部には地面刺入部14が設けられていることを特徴とする請求項１〜６のいずれか１項に記載の穴掘り装置に係るものである。
【００１６】
また、前記ガイド体摺動部11の下端部には車輪28が設けられていることを特徴とする請求項１〜７のいずれか１項に記載の穴掘り装置に係るものである。
【００１７】
また、前記ギアボックス６には、ガイド体10に対するガイド体摺動部11の上方への摺動を阻止するストッパー体25が設けられていることを特徴とする請求項１〜８のいずれか１項に記載の穴掘り装置に係るものである。
【発明の効果】
【００１８】
本発明は上述のように構成したから、前述した従来例に比し、小型で軽量な構造である為、機動性能が高くて極めて作業性が良く、そして更に、簡易構造故にコスト安にして量産性に秀れることになるなど従来にない作用効果を発揮する画期的な穴掘り装置となる。
【発明を実施するための最良の形態】
【００１９】
好適と考える本発明の実施形態を、図面に基づいて本発明の作用を示して簡単に説明する。
【００２０】
土壌への穴掘り作業に際し、例えば一方の手でギアボックス６の上部に立設される電動回動具１の握持部３を握持するとともに、この握持部３を握持した手と反対の手でギアボックス６に設けた取手部８を握持し、続いて、穴掘り装置本体９に設けたガイド体摺動部11により該穴掘り装置本体９を地面に対して固定するとともに、握持部３を握持する手で電動回動具１の回動スイッチ２を操作してドリル７を回動させ、続いて、ガイド体10に対してガイド体摺動部11を摺動させて穴掘り装置本体９を下方に移動させると、回動するドリル７が土壌に刺入され、その後、ドリル７を抜いた箇所には穴が形成される。
【００２１】
この土壌に形成された穴に、例えば棒状肥料を入れることで施肥が完了する。
【００２２】
従って、前述した従来例と異なり、駆動源として電動回動具１を採用することで小型で軽量な構造である為、機動性能が高くて極めて作業性が良く、しかも、簡易構造故にコスト安にして量産性に秀れることになる。
【００２３】
また、本発明は、電動回動具１の握持部３をそのまま握持する部位として利用する極めて効率の良い構造（無駄のない構造）であるから、この点においても小型軽量化が達成されることになる。
【００２４】
ところで、本発明は、前述したように装置の小型軽量化を達成しているが、この小型軽量化により危惧される危険の発生を防止する構造を具備する。
【００２５】
即ち、駆動源の駆動によりドリルを回動して穴掘りを行う構造において、穴掘り作業中に例えば回動するドリルに樹木の根やロープが巻きついた際、装置が軽量で不安定な構造であるほどドリルの回動により引っ張られるなどの危険が生じ易くなる。
【００２６】
この点、本発明は、ドリル７での穴掘り作業中は常に穴掘り装置本体９はガイド体摺動部11により地面に対して固定される構造であり、しかも、作業者は両方の手で穴掘り装置本体９を支持することができるのは勿論、ドリル７の回動・停止は穴掘り装置本体９を支持する手を離すことなく握持部３に設けられる回動スイッチ２を操作することで行えるから、ドリル７の回動中は常に両方の手で堅固に穴掘り装置本体９を支持した状態（穴掘り装置本体９を抱え込んで地面へ向けて押し付けるような状態）で作業が行える構造であり、よって、前述したような危険の発生を防止することができる。
【００２７】
また、本発明は、ギアボックス６を利用して電動回動具１の動力を確実に穴掘りに適した回動にすることができる。
【実施例１】
【００２８】
本発明の具体的な実施例１について図面に基づいて説明する。
【００２９】
本実施例は、電動回動具１を用いた穴掘り装置Ａである。
【００３０】
具体的には、穴掘り装置本体９は、図１，２に図示したように前記電動回動具１の回動スイッチ２を設けた握持部３を上にして回動軸先端を下にしてこの電動回動具１の回動軸４の回動により出力軸23を減速回動させるギアボックス６の上部に前記電動回動具１を立設し、このギアボックス６の出力軸23に連結した穴掘り用のドリル７をギアボックス６に垂設し、このギアボックス６に前記握持部３を握持した手と反対の手で握持する取手部８を設けて構成されている。
【００３１】
電動回動具１は、図１，２に図示したように先端部に回動軸４を突設したガン形状の基体１Ａの基端部に握持部３を設けた公知構造のものであり、基体１Ａの内部には図示省略の回動装置や電子部品等が内蔵されている。
【００３２】
また、この電動回動具１の回動軸４の先端部には棒状の被装着体を着脱自在に嵌挿装着し得るチャック部４ａが設けられている。
【００３３】
また、電動回動具１は、握持部３の内側コーナー部位（握持部３を握る手の指で操作できる位置）に回動スイッチ２が設けられている。
【００３４】
尚、電動回動具１として図示した電源に接続するコンセント１ａを設けたタイプに限らず、バッテリーを装着するタイプでも良い。
【００３５】
ギアボックス６は、図１，２に図示したように適宜な金属製のケース体６Ａ内に径の異なる一対のギア15，16を回動自在に収納して構成される減速装置である。
【００３６】
この一対のギア15，16のうち、一方の径小のギア15は電動回動具１の回動軸４（チャック部４ａ）を着脱自在に連結する入力軸17に設けられ、他方の径大のギア16はドリル７を着脱自在に連結する出力軸23に設けられており、互いにチェーン18を介して連設されている。符号19はケース体６Ａに設けられ入力軸17及び出力軸23を回動自在に軸受するベアリング付き軸受である。
【００３７】
従って、電動回動具１の回動軸４を回動させて入力軸17を回動させると、ギア15，16を介して出力軸23が減速回動することになる。
【００３８】
また、ギアボックス６には電動回動具１を着脱自在に連結し得る連結部12が設けられている。
【００３９】
この連結部12は、図１，２に図示したようにケース体６Ａの上面所定位置に貫通部６ａを設け、この貫通部６ａの開口周縁部に、該貫通部６ａに嵌挿した電動回動具１の基体先端部を締付保持するリング状の保持部材12Ａを設けて構成されている。
【００４０】
この連結部12を介してギアボックス６に連結した電動回動具１の回動軸４は入力軸17に連結される。
【００４１】
また、ケース体６Ａの下面所定位置には出力軸23の一部が突設されており、この突出部位にはドリル７の基端部を嵌挿する凹部23ａが設けられ、この嵌挿部５ａに嵌挿させたドリル７の基端部をネジ体20で締付固定し得るように構成されている。
【００４２】
ドリル７は、図１，２に図示したように適宜な金属製の部材で形成されたものであり、軸部７ａの周面に掘削刃部７ｂを螺旋状に形成して構成されている。
【００４３】
このドリル７の基端部には、前述した出力軸23の凹部23ａに嵌挿連結する嵌挿部７ｃが設けられ、この嵌挿部７ｃの周面には平坦部７ｃ’が形成されている。この平坦部７ｃ’はネジ体20で締付固定する部位である。
【００４４】
また、ギアボックス６には取手部８が設けられている。
【００４５】
この取手部８は、図１に図示したようにケース体６Ａの側面所定位置に突設される棒状体であり、杆部８ａにグリップ材８ｂを被嵌して構成され、この取手部８は、電動回動具１の回動軸４の軸芯方向と直交する方向に突出する状態となるように構成されている。
【００４６】
従って、作業者は一方の手で握持部３を握持し、この握持部３を握持する手と反対の手で取手部８を握持することになり、両方の手で堅固に穴掘り装置本体９を抱え込んだような状態で支持することができる。
【００４７】
また、穴掘り装置本体９には、穴掘り装置本体９を地面Ｅに対して固定する機能を有し、穴掘り装置本体９の上下動をガイドするガイド機構21が設けられている。
【００４８】
具体的には、ガイド機構21は、ケース体６Ａの左右側面に設けられるガイド体10と、このガイド体10を摺動するガイド体摺動部11とで構成されている。
【００４９】
ガイド体10は、図１に図示したように適宜な金属製の部材を筒状に形成したものであり、ギアボックス６に係るケース体６Ａの左右側面にして前述したドリル７と並設状態（平行状態）となるように設けられている。
【００５０】
ガイド体摺動部11は、図１に図示したように一対の摺動棒部材11ａ，11ｂと、この摺動棒部材11ａ，11ｂ同志を下端で連結する連結部材11ｃとで構成されている。
【００５１】
摺動棒部材11ａ，11ｂは、適宜な金属製の部材で形成したものであり、一方の摺動棒部材11ａが他方の摺動棒部材11ｂよりも長い長さに設定されており、この一方の摺動棒部材11ａの上端部にはガイド体10からの抜けを防止する抜け止め部11ａ’が設けられている。
【００５２】
また、摺動棒部材11ａ，11ｂ夫々の下端部は先鋭形状に形成されており、地面Ｅに刺入する地面刺入部14として構成されている。
【００５３】
連結部材11ｃは、図１に図示したように適宜な金属製の板材で形成さており、この連結部材11ｃの左右端部には摺動棒部材11ａ，11ｂ夫々が貫通状態に連結され、その中央部にはドリル７を貫通する貫通孔11ｃ’が形成されている。
【００５４】
この貫通孔11ｃ’の周縁部には樹脂製の環状部材22が設けられており、この環状部材22の内孔22ａは可及的にドリル７の掘削刃部７ｂに近接状態となる径に設定されている。
【００５５】
この環状部材22はドリル７に付着する土を掻き落とす機能を発揮し、よって、連結部材11ｃは土の跳ねを防止することになる。
【００５６】
連結部材11ｃには足踏み部５が設けられている。
【００５７】
この足踏み部５は、図１に図示したように棒状部材を屈曲形成して構成されており、連結部材11ｃの後方位置に設けられている。
【００５８】
この足踏み部５の下端部は、水平方向から見て摺動棒部材11ａ，11ｂに係る地面刺入部４の下端よりも上方位置に位置するように構成されている。
【００５９】
従って、この足踏み部５を踏み込むことで後述する付勢体13により引き上げ付勢されるガイド体摺動部11をガイド体10を摺動させて下方に降下させることができる。
【００６０】
付勢体13は、図１に図示したようにコイルバネで構成されており、ギアボックス６のケース体６Ａの下面と連結部材11ｃとの間に架設状態に設けられている。
【００６１】
従って、この付勢体13により、ガイド体摺動部11は常時上方に付勢されており、この付勢体13は、連結部材11ｃに設けた足踏み部５を踏んだ状態でドリル７を挿入する際に、ドリル７の下方（掘削方向）への移動を助力することになる。
【００６２】
尚、ガイド体摺動部11を下げた状態を保持するストッパーを設けても良い。
【００６３】
以上の構成からなる穴掘り装置Ａにおける穴掘り作業について説明する。
【００６４】
先ず、一方の手でギアボックス６の上部に立設される電動回動具１の握持部３を握持するとともに、この握持部３を握持した手と反対の手でギアボックス６に設けた取手部８を握持し、図３に図示したようにドリル７の先端部を穴を形成する部位（地面Ｅ）に当てる。
【００６５】
続いて、図４，５，６に図示したように足踏み部５を踏んで、付勢体13の引き上げ付勢に抗して踏み降ろして、ガイド体摺動部11の先端に設けた地面刺入部14を地面Ｅに突刺して、穴掘り装置本体９を地面Ｅに対して固定する。
【００６６】
続いて、握持部３を握持する手で電動回動具１の回動スイッチ２を操作してドリル７を回動させ、ガイド体10に対してガイド体摺動部11を摺動させて穴掘り装置本体９を下方に移動させると、図７に図示したように回動するドリル７が土壌に刺入される。この際、ドリル７に付着して地上に運ばれる土はガイド体摺動部11の連結部材11ｃにより上方への移動が阻止され跳ねよけされることになる。
【００６７】
その後、図８に図示したようにドリル７を抜いた箇所には穴Ｈが形成される。
【００６８】
この土壌に形成された穴Ｈに、例えば棒状肥料Ｆを入れることで施肥が完了する。
【００６９】
本実施例は上述のように構成したから、駆動源として電動回動具１を採用することで小型で軽量な構造である為、機動性能が高くて極めて作業性が良く、しかも、簡易構造故にコスト安にして量産性に秀れることになる。
【００７０】
また、本実施例は、取手部８は、電動回動具１の回動軸４の軸芯方向と直交する方向に突出する棒状体を前記ギアボックス６に設けて構成されているから、作業者は両方の手で堅固に穴掘り装置本体９を支持する状態が得られることになる。
【００７１】
また、本実施例は、ガイド体摺動部11は、穴掘り装置本体９の左右位置にしてドリル７の左右位置に並設状態で垂設されるガイド体10に摺動自在に設けられているから、ガイド体10に対する摺動が円滑且つ確実に行われることになる。
【００７２】
また、本実施例は、ガイド体摺動部11には、足踏み操作により該ガイド体摺動部11の下端部を地面Ｅに対して圧接せしめる足踏み部５が設けられているから、穴掘り装置本体９を地面Ｅに対して堅固に固定した状態で穴掘り作業が行えることになる。
【００７３】
また、本実施例は、ギアボックス６には、電動回動具１を着脱自在に連結し得る連結部12が設けられているから、既存の電動回動具１を使用することができる。
【００７４】
また、本実施例は、穴掘り装置本体９には、ガイド体摺動部11を上方へ付勢する付勢体13が設けられているから、この付勢体13によりドリル７を土壌に刺入させる際の助力が得られることになり、ドリル７の刺入が楽に行われることになる。
【００７５】
また、本実施例は、ガイド体摺動部11の下端部には地面刺入部14が設けられているから、穴掘り装置本体９を地面Ｅに対して堅固に固定した状態で穴掘り作業が行えることになる。
【実施例２】
【００７６】
本発明の具体的な実施例２について図面に基づいて説明する。
【００７７】
本実施例は、ガイド体摺動部11の下端部に車輪28を設けている。
【００７８】
具体的には、図９に図示したようにガイド体摺動部11の下端部にして連結部材11ｃの左右位置には一対の車輪28が設けられており、この各車輪28の少なくとも下端位置は、ガイド体摺動部11をガイド体10に対して最も下げた状態においてドリル７の先端よりも下方位置に位置するように構成されている。
【００７９】
また、本実施例は、図11に図示したようにギアボックス６には、ガイド体摺動部11に係る一方の摺動棒部材11ｂの上端部に当接してガイド体10に対するガイド体摺動部11の上方への摺動を阻止するストッパー体25が設けられており、このストッパー体25は、前述したガイド体摺動部11を最も下げた状態を保持するように構成されている。このストッパー体25の操作は取手部８を握持する手で付勢体27の戻り付勢に抗して操作し得るものである。
【００８０】
従って、移動の際や保管の際には車輪28を接地させた状態（ドリル７の先端を地面Ｅに対して浮かせた状態）とすると非常に便利である。
【００８１】
また、本実施例は、図10に図示したようにギアボックス６に設けられる一対のギア15，16は回動伝達用のギア24を介して連設されている。
【００８２】
また、本実施例は、図14に図示したようにガイド体摺動部11の下端部にして足踏み部５には地面刺入部14が設けられている。
【００８３】
この地面刺入部14は、ガイド体摺動部11に係る連結部材11ｃに先端先鋭の棒状体14Ａを設けて構成されており、この棒状体14Ａは付勢体26により上方に付勢されており、足踏み部５を踏み込むと同時に付勢体26に抗して踏みつけることで地面Ｅに刺入されることになる。
【００８４】
尚、図示していないが本実施例においてもガイド体摺動部11を上方に引き上げ付勢する付勢体13を設けても良い。
【００８５】
その余は実施例１と同様である。
【００８６】
尚、本発明は、実施例１，２に限られるものではなく、各構成要件の具体的構成は適宜設計し得るものである。
【図面の簡単な説明】
【００８７】
【図１】実施例１を示す斜視図である。
【図２】実施例１に係る要部の説明断面図である。
【図３】実施例１の使用状態説明図である。
【図４】実施例１の使用状態説明図である。
【図５】実施例１に係る要部の動作説明図である。
【図６】実施例１の使用状態説明図である。
【図７】実施例１の使用状態説明図である。
【図８】実施例１の使用状態説明図である。
【図９】実施例２を示す斜視図である。
【図１０】実施例２に係る要部の説明図である。
【図１１】実施例２に係る要部の説明図である。
【図１２】実施例２の使用状態説明図である。
【図１３】実施例３の使用状態説明図である。
【図１４】実施例３に係る要部の動作説明図である。
【符号の説明】
【００８８】
１  電動回動工具
２  回動スイッチ
３  握持部
４  回動軸
５  足踏み部
６  ギアボックス
７  ドリル
８  取手部
９  穴掘り装置本体
10  ガイド体
11  ガイド体摺動部
12  連結部
13  付勢体
14  地面刺入部
23  出力軸
25  ストッパー体
28  車輪
【図１】
2008125461.tif 000003
【図２】
2008125461.tif 000004
【図３】
2008125461.tif 000005
【図４】
2008125461.tif 000006
【図５】
2008125461.tif 000007
【図６】
2008125461.tif 000008
【図７】
2008125461.tif 000009
【図８】
2008125461.tif 000010
【図９】
2008125461.tif 000011
【図１０】
2008125461.tif 000012
【図１１】
2008125461.tif 000013
【図１２】
2008125461.tif 000014
【図１３】
2008125461.tif 000015
【図１４】
2008125461.tif 000016